(57)【特許請求の範囲】
【請求項１】
演出部材を駆動させる駆動装置を備えた遊技機において、
前記駆動装置は、
駆動源と、
前記駆動源の動力を伝達し、第一演出部材を原位置と第一終端位置との間を移動可能とする第一伝達部と、
前記駆動源の動力を伝達し、第二演出部材を原位置と第二終端位置との間を移動可能にする第二伝達部と、
前記第一演出部材および前記第二演出部材が原位置に位置する状態から駆動源を駆動させると、前記第一伝達部を介して前記駆動源の動力を前記第一演出部材に伝達させて前記第一演出部材を前記第一終端位置に向けて移動させ、前記第一演出部材が前記第一終端位置に到達した際に前記第一伝達部による動力の伝達が解除され、前記第一演出部材が前記第一終端位置に位置した状態で、前記第二伝達部を介して前記駆動源の動力を前記第二演出部材に伝達させて前記第二演出部材を前記第二終端位置に向けて移動させる連動手段と、
を有することを特徴とする遊技機。
【請求項２】
前記駆動源が固定されたベース部材を備え、
前記第一伝達部は、
前記駆動源の動力が伝達されて回転する駆動側歯車と、
前記ベース部材に設けられた軸に支持され、前記駆動側歯車に噛み合う歯車であって前記第一演出部材に形成された第一従動側歯車と、
を有し、
前記第二伝達部は、
前記駆動側歯車と、
前記ベース部材に設けられた軸に支持され、前記駆動側歯車に噛み合う歯車であって前記第二演出部材に連繋された第二従動側歯車と、
を有することを特徴とする請求項１に記載の遊技機。
【請求項３】
前記第二従動側歯車は、前記第一従動側歯車と同一の軸に支持されており、
前記第二従動側歯車、この第二従動側歯車と前記第二演出部材を連繋する一または複数の動力伝達部材、および前記第二演出部材は、前記第一演出部材に支持されていることを特徴とする請求項２に記載の遊技機。
【請求項４】
前記駆動側歯車は、
前記第一演出部材が前記第一終端位置に位置する状態から一方に回転したときに前記第一従動側歯車に噛み合わずに前記第二従動側歯車に噛み合う第一噛合部と、
前記第一演出部材が前記第一終端位置に位置する状態から他方に回転したときに前記第一従動側歯車および前記第二従動側歯車の両方に噛み合う第二噛合部と、
を有することを特徴とする請求項２または請求項３に記載の遊技機。
【請求項５】
前記駆動側歯車に噛み合う前記第一従動側歯車と前記第二従動側歯車は、ピッチ円直径および歯の大きさが同じであることを特徴とする請求項２から請求項４のいずれか一項に記載の遊技機。
【請求項６】
前記ベース部材あるいは前記第一演出部材のいずれか一方、または両方には、前記第一演出部材が原位置から前記第一終端位置に向けて移動し前記第一終端位置に到達した際に、それ以上の同じ方向への前記第一演出部材の移動を規制する規制部が設けられていることを特徴とする請求項２から請求項５のいずれか一項に記載の遊技機。
【請求項７】
前記第一従動側歯車は前記第一演出部材に形成されていることを特徴とする請求項２から請求項６のいずれか一項に記載の遊技機。
【発明の詳細な説明】
【技術分野】
【０００１】
本発明は、演出部材を動作させる駆動装置を備えた遊技機に関する。
【背景技術】
【０００２】
このような演出部材を動作させる駆動装置として、下記特許文献１に記載のものが公知である。下記特許文献１には、単一の駆動源で関節によって連結された複数の駆動部材を動作させる駆動装置が記載されている。この駆動装置は、単一の駆動源で複数の駆動部材を動作させることができる点で優れるものであるが、連結された一方の駆動部材と他方の駆動部材の角度が変化するだけであって動作に面白味がない。
【先行技術文献】
【特許文献】
【０００３】
【特許文献１】特開２００７−２５２７３４号公報
【発明の概要】
【発明が解決しようとする課題】
【０００４】
本発明が解決しようとする課題は、駆動源を増加させることなく演出部材による演出効果を向上させることが可能な遊技機を提供することにある。
【課題を解決するための手段】
【０００５】
上記課題を解決するためになされた請求項１の発明にかかる遊技機は、演出部材を駆動させる駆動装置を備え、前記駆動装置は、駆動源と、前記駆動源の動力を伝達し、第一演出部材を原位置と第一終端位置との間を移動可能とする第一伝達部と、前記駆動源の動力を伝達し、第二演出部材を原位置と第二終端位置との間を移動可能にする第二伝達部と、前記第一演出部材および前記第二演出部材が原位置に位置する状態から駆動源を駆動させると、前記第一伝達部を介して前記駆動源の動力を前記第一演出部材に伝達させて前記第一演出部材を前記第一終端位置に向けて移動させ、前記第一演出部材が前記第一終端位置に到達した際に前記第一伝達部による動力の伝達が解除され、前記第一演出部材が前記第一終端位置に位置した状態で、前記第二伝達部を介して前記駆動源の動力を前記第二演出部材に伝達させて前記第二演出部材を前記第二終端位置に向けて移動させる連動手段と、を有することを特徴とする。
【０００６】
請求項２に記載の発明は、請求項１に記載の遊技機において、前記駆動源が固定されたベース部材を備え、前記第一伝達部は、前記駆動源の動力が伝達されて回転する駆動側歯車と、前記ベース部材に設けられた軸に支持され、前記駆動側歯車に噛み合う歯車であって前記第一演出部材に形成された第一従動側歯車と、を有し、前記第二伝達部は、前記駆動側歯車と、前記ベース部材に設けられた軸に支持され、前記駆動側歯車に噛み合う歯車であって前記第二演出部材に連繋された第二従動側歯車と、を有することを特徴とする。
【０００７】
請求項３に記載の発明は、請求項２に記載の遊技機において、前記第二従動側歯車は、前記第一従動側歯車と同一の軸に支持されており、前記第二従動側歯車、この第二従動側歯車と前記第二演出部材を連繋する一または複数の動力伝達部材、および前記第二演出部材は、前記第一演出部材に支持されていることを特徴とする。
【０００８】
請求項４に記載の発明は、請求項２または請求項３に記載の遊技機において、前記駆動側歯車は、前記第一演出部材が前記第一終端位置に位置する状態から一方に回転したときに前記第一従動側歯車に噛み合わずに前記第二従動側歯車に噛み合う第一噛合部と、前記第一演出部材が前記第一終端位置に位置する状態から他方に回転したときに前記第一従動側歯車および前記第二従動側歯車の両方に噛み合う第二噛合部と、を有することを特徴とする。
【０００９】
請求項５に記載の発明は、請求項２から請求項４のいずれか一項に記載の遊技機において、前記駆動側歯車に噛み合う前記第一従動側歯車と前記第二従動側歯車は、ピッチ円直径および歯の大きさが同じであることを特徴とする請求項２または請求項３または請求項４に記載の遊技機。
【００１０】
請求項６に記載の発明は、請求項２から請求項５のいずれか一項に記載の遊技機において、前記ベース部材あるいは前記第一演出部材のいずれか一方、または両方には、前記第一演出部材が原位置から前記第一終端位置に向けて移動し前記第一終端位置に到達した際に、それ以上の同じ方向への前記第一演出部材の移動を規制する規制部が設けられていることを特徴とする。
【００１１】
請求項７に記載の発明は、請求項２から請求項６のいずれか一項に記載の遊技機において、前記第一従動側歯車は前記第一演出部材に形成されていることを特徴とする。
【発明の効果】
【００１２】
請求項１に記載の発明では、駆動源の動力はまず第一演出部材に伝達されるが、第一伝達部材が第一終端位置に到達した時点で出力先が切り替わり、駆動源の動力は第二演出部材に伝達される。したがって、第一演出部材の原位置から第一終端位置までの移動と、これに続く第二演出部材の原位置から第二終端位置までの移動を単一の駆動源で実行することが可能である。すなわち、第一演出部材が所定の動作を行った後、第二演出部材が所定の動作を行うという、演出効果の高い段階的な演出を駆動源を増加させることなく実行することが可能である。
【００１３】
請求項２に記載の発明のように、駆動源によって回転する駆動側歯車に、第一伝達部を構成する第一従動側歯車および第二伝達部を構成する第二従動側歯車の両方が噛み合うようにすれば、上記駆動源の出力先の切替を実現する構成を容易に構築することが可能である。
【００１４】
請求項３の発明のように、第二従動側歯車を第一従動側歯車と同一の軸に支持させた上で、第二伝達部を構成する第二従動側歯車、それと第二演出部材を連繋する動力伝達部材、および第二演出部材（「第二従動側歯車から第二演出部材に至るまでの各部材」と称する）が第一演出部材に支持された構成とすれば、第一演出部材の移動とともに第二従動側歯車から第二演出部材に至るまでの各部材が移動することになる。つまり、第一演出部材が移動したときにおける第一演出部材と第二従動側歯車から第二演出部材に至るまでの各部材の相対位置の変化を抑制することができるから、第二演出部材を原位置に留めたまま第一演出部材を第一終端位置に向けて移動させる構成を容易に構築することが可能となる。
【００１５】
請求項４に記載の発明のように、駆動側歯車が第二従動側歯車にのみ噛み合う第一噛合部と、第一従動側歯車および第二従動側歯車の両方に噛み合う第二噛合部と、を有する構成とすることにより、第一演出部材が第一終端位置に到達してから駆動源の動力が第二演出部材にのみ出力される態様（段階的な動作）を簡単に構築することが可能となる。つまり、駆動側歯車を上記のような形状とするだけであるから、歯車等の伝達部材を増加させることなく演出効果を高めることが可能となる。
【００１６】
請求項５に記載の発明のように、第一従動側歯車と第二従動側歯車のピッチ円直径および歯の大きさが同じであれば、駆動側歯車の回転に伴う第一従動側歯車と第二従動側歯車の回転量が同じになるため、第二演出部材を原位置に留めたまま第一演出部材を第一終端位置に向けて移動させる構成を容易に構築することが可能となる。
【００１７】
請求項６に記載の発明によれば、第一演出部材が第一終端位置に到達したときに、第一演出部材を第一終端位置に確実に留めることが可能となる。そのため、第一演出部材の移動停止から第二演出部材の移動開始という一連の動作をスムーズなものとすることが可能となる。
【００１８】
請求項７に記載のように、第一従動側歯車を第一演出部材に形成することも可能である。
【図面の簡単な説明】
【００１９】
【図１】本発明の実施形態にかかる遊技機の正面図（前方から見た図）である。
【図２】遊技盤の正面図（前方から見た図）である。
【図３】第一駆動装置を模式的に示した図である。
【図４】第二駆動装置の外観図である。
【図５】（ａ）は第一演出部材および第二演出部材が原位置に位置した状態にある演出体の正面図（前方から見た図）であり、（ｂ）は第一演出部材が第一終端位置に位置し第二演出部材が原位置に位置した状態にある演出体の正面図（前方から見た図）であり、（ｃ）は第一演出部材が第一終端位置に位置し第二演出部材が第二終端位置に位置した状態にある演出体の正面図（前方から見た図）である。
【図６】第一演出部材および第二演出部材が原位置に位置した状態にある演出体の背面図（後方から見た図）である。
【図７】第一演出部材が第一終端位置に位置し第二演出部材が原位置に位置した状態にある演出体の背面図（後方から見た図）である。
【図８】第一演出部材が第一終端位置に位置し第二演出部材が第二終端位置に位置した状態にある演出体の背面図（後方から見た図）である。
【図９】駆動側歯車の外観図である。
【図１０】第一演出部材および第二演出部材が原位置に位置した状態での駆動側歯車と第一従動側歯車および第二従動側歯車の噛み合いの様子を示した図である。
【図１１】第一演出部材および第二演出部材が原位置に位置した状態での駆動側歯車と第二従動側歯車の噛み合いの様子を示した図（図１０から第一従動側歯車を削除した図）である。
【図１２】第一演出部材が第一終端位置に位置し第二演出部材が原位置に位置した状態での駆動側歯車と第一従動側歯車および第二従動側歯車の噛み合いの様子を示した図である。
【図１３】第一演出部材が第一終端位置に位置し第二演出部材が原位置に位置した状態での駆動側歯車と第二従動側歯車の噛み合いの様子を示した図（図１２から第一従動側歯車を削除した図）である。
【図１４】第一演出部材が第一終端位置に位置し第二演出部材が第二終端位置に位置した状態での駆動側歯車と第一従動側歯車および第二従動側歯車の噛み合いの様子を示した図である。
【図１５】第一演出部材が第一終端位置に位置し第二演出部材が第二終端位置に位置した状態での駆動側歯車と第二従動側歯車の噛み合いの様子を示した図（図１４から第一従動側歯車を削除した図）である。
【発明を実施するための形態】
【００２０】
以下、本発明にかかる実施形態について図面を参照して詳細に説明する。なお、以下の説明における平面方向とは遊技盤２の平面方向に沿う（平行な）方向を、前後方向とは遊技盤２の平面方向に直交する方向（遊技者側を前、その反対側を後とする）を、上下方向とは図１における上下方向を、幅方向（左右方向）とは図１における左右方向をいうものとする。
【００２１】
まず、図１、図２等を参照して遊技機１の全体構成について簡単に説明する。遊技機１は、額縁形状の機枠９０を有し、この機枠９０には前面枠９１が回動自在に支持されている。前面枠９１には、前側から遊技盤２を視認可能とする透明な板が設けられている。
【００２２】
遊技盤２は、ほぼ正方形の合板により成形されており、前面枠９１に着脱可能に取り付けられている。この遊技盤２には、発射装置９６の操作によって発射された遊技球を遊技領域１２に案内する金属製の薄板からなる帯状のガイドレール９２が略円弧形状となるように設けられている。
【００２３】
遊技領域１２には、表示装置９３、第一始動入賞口９４１、第二始動入賞口９４２、第一大入賞口９４３、第二大入賞口９４４、アウト口９５などが設けられている。表示装置９３は、例えば液晶表示装置が用いられ、表示装置９３の表示画面（表示部）において特別図柄や普通図柄等が表示される。かかる表示装置９３の表示画面は、遊技盤２に形成された開口２１を通じて視認可能である。
【００２４】
また、遊技領域１２には、流下する遊技球が衝突することにより遊技球の流下態様に変化を与える障害物としての遊技釘が複数設けられている。遊技領域１２を流下する遊技球は、遊技釘に衝突したときの条件に応じて様々な態様に変化する。
【００２５】
遊技盤２の裏側には、後述する第一演出部材５２および第二演出部材５３、５４を有する演出体５（いわゆる役物）を駆動させる第一駆動装置３および第二駆動装置４が設けられている。これら駆動装置３、４の構成の詳細については後述する。
【００２６】
このような遊技機１では、発射装置９６（ハンドル）を操作することにより遊技領域１２に向けて遊技球を発射する。遊技領域１２を流下する遊技球が、始動入賞口９４１、９４２や大入賞口９４３、９４４等の入賞口に入賞すると、所定の数の賞球が払出装置により払い出される。その他、大当たりの抽選方法や演出等は、公知の遊技機と同様のものが適用できるため、説明は省略する。
【００２７】
以下、遊技機１が備える駆動装置３、４の構成およびこの駆動装置３、４によって動作する演出体５（演出部材）の構成について説明する。本実施形態にかかる遊技機１は第一駆動装置３および第二駆動装置４を備える。これら駆動装置３、４は図示されない遊技機の制御手段（制御基板）により制御される。
【００２８】
図３に示す第一駆動装置３は、演出体５全体を移動させるための装置であり、ベース３１と、駆動源である第一モータ３２と、第一モータ歯車３３と、出力部材３４と、演出体支持部材１４と、を備える。ベース３１には、第一モータ３２が固定されている。第一モータ３２の出力軸には第一モータ歯車３３が固定されている。第一モータ歯車３３には、出力部材３４の歯車部３４１が噛み合っている。出力部材３４は、この歯車部３４１および軸部３４２が一体的に形成された部材であり、軸部３４２には長孔３４２１が形成されている。軸部３４２に形成された長孔３４２１には演出体支持部材１４に設けられた第一スライド突起１４１が通されている。第一スライド突起１４１は、後方に向かって突出する突起であり、その先端には外れ防止部材が固定されている。これにより、第一スライド突起１４１が長孔３４２１から外れてしまうことが防止されている。また、演出体支持部材１４には、前方に向かって突出する第二スライド突起（図示せず）が形成されている。第二スライド突起は、ベース３１に形成された幅方向に延びるスライド孔３１１に通されている。演出体支持部材１４には、詳細を後述する演出体５（役物）が接続されている。
【００２９】
演出体５は、演出効果を発現しない非演出位置においては、遊技盤２の後方に位置する。具体的には、遊技盤２の左方部分に覆われて遊技者には視認困難な状態にある。演出体５が非演出位置に位置した状態から、遊技者に視認可能な演出位置まで移動させる際には、第一モータ３２を駆動し出力軸を一方に回転（正転）させる。第一モータ３２を駆動させると、第一モータ歯車３３が当該方向に回転する。第一モータ歯車３３は出力部材３４の歯車部３４１に噛み合っているから、第一モータ歯車３３の回転により出力部材３４の歯車部３４１が回転する。出力部材３４の歯車部３４１が回転するとそれと一体的に構成された軸部３４２も回転する（軸部３４２の先端が円弧を描くように移動する）。軸部３４２の長孔３４２１には演出体支持部材１４に設けられた第一スライド突起１４１が通されているため、演出体支持部材１４は軸部３４２の長孔３４２１の周囲の部分に押され、当該押される方向に移動しようとする。ただし、このように演出体支持部材１４が軸部３４２に押されても、演出体支持部材１４の第二スライド突起はベース３１に形成された幅方向に延びるスライド孔３１１に通されているため、演出体支持部材１４の上下方向位置（高さ）は維持される。つまり、第一スライド突起１４１が軸部３４２の長孔３４２１内における相対的な位置を変化させつつ（長孔３４２１内をスライドしつつ）、第二スライド突起が幅方向右向きにスライドする。つまり、演出体支持部材１４が幅方向右向きにスライドする。
【００３０】
上記のように演出体支持部材１４は演出体５に接続されている。そのため、第一モータ３２を正転させることにより、演出体５は幅方向右向きにスライドする。演出体５が右にスライドすると、演出体５は遊技盤２に形成された開口２１に前後方向で重なる。つまり、演出体５は遊技者が開口２１を通じて演出体５を視認することが可能な位置である演出位置に到達する。
【００３１】
演出位置に位置した演出体５を非演出位置に移動させる際には、モータの出力軸を他方に回転（逆転）させる。このモータの動力は、第一モータ歯車３３、出力部材３４を介して演出体支持部材１４に伝わり、演出体支持部材１４は幅方向左向きにスライドする。つまり、演出体５は幅方向左向きにスライドして非演出位置に戻る。
【００３２】
次に、図４〜図１５を参照して第二駆動装置４（本発明における駆動装置に相当する）について説明する。第二駆動装置４は、演出体５が有する第一演出部材５２および第二演出部材５３、５４を移動（動作）させるための装置である。本実施形態における演出体５は、ベース演出部材５１（本発明におけるベース部材に相当する）、第一演出部材５２、および第二演出部材５３、５４を有する。第二駆動装置４は、駆動源である第二モータ４１、この第二モータ４１の動力を第一演出部材５２に伝達する第一伝達部、および第二モータ４１の動力を第二演出部材５３、５４に伝達する第二伝達部を有する。
【００３３】
本実施形態では、演出体５はあるキャラクタを構成する。ベース演出部材５１はキャラクタの「顔」であり、このベース演出部材５１の下方に位置する第一演出部材５２はキャラクタの「胴体」であり、第二演出部材５３、５４はキャラクタの「手」である。第一演出部材５２は原位置と第一終端位置の間を移動可能な演出部材であり、第二演出部材５３、５４は原位置と第二終端位置の間を移動可能な演出部材である。なお、後述するように、第二演出部材５３、５４は第一演出部材５２に支持されているため、第一演出部材５２が移動すると第二演出部材５３、５４も移動することになる。ただし、特に明示した場合を除き、本発明における第二演出部材５３、５４の位置（「原位置」「第二終端位置」等）とは、第一演出部材５２に対する第二演出部材５３、５４の相対的な位置をいうものとする。例えば、第二演出部材５３、５４が原位置に位置するとき、第一演出部材５２が移動するとそれに支持された第二演出部材５３、５４も移動することになるが、第一演出部材５２に対する第二演出部材５３、５４の相対的な位置の変化が発生していない場合には、第二演出部材５３、５４は「原位置」に留まったままということとする。
【００３４】
ベース演出部材５１および第一演出部材５２の後側には、第二駆動装置４の各歯車等を収容する空間が形成されている。ベース演出部材５１の下方には、側壁（前後方向に沿う部分）が切り欠かれた開口５１１が形成されており、この開口５１１を通じて第一演出部材５２の上側の一部がベース演出部材５１の後側の空間に入り込んでいる。つまり、ベース演出部材５１の下側の一部と第一演出部材５２の上側の一部は前後方向に重なっており、ベース演出部材５１の後側の空間と第一演出部材５２の後側の空間が上下方向に繋がったような状態となっている。
【００３５】
第一演出部材５２におけるベース演出部材５１の後側の空間に入り込んだ部分の前面には、凹部を有する軸受部５１４（凹部の周囲のみ図４に示す）が形成されている。この軸受部５１４の内側には支持軸４６１の一端側が挿入されている。つまり、ベース演出部材５１には支持軸４６１が設けられている。この支持軸４６１は第一演出部材５２に形成された貫通孔に通されている。つまり、第一演出部材５２はこの支持軸４６１を中心として回転可能である。ただし、第一演出部材５２は上記開口５１１を通じてベース演出部材５１の後側の空間に入り込んだ状態にあるから、その回転可能な範囲は開口５１１に臨む側壁の端縁の一方（以下、原位置ストッパ部５１２と称する）に接触する位置から端縁の他方（以下、第一終端位置ストッパ部５１３と称する）に接触する位置までである。
【００３６】
第二駆動装置４の駆動源である第二モータ４１の出力軸に固定された第二モータ歯車（図示せず）には、複合歯車である中継歯車４３の大径の歯車部が噛み合っている。この中継歯車４３の小径の歯車部には、複合歯車である駆動側歯車４４の前側に位置する歯車部４４１が噛み合っている。この駆動側歯車４４の後側の歯車部４４２は扇状の歯車部である。これら第二モータ４１（第二モータ歯車）、中継歯車４３、および駆動側歯車４４は、ベース演出部材５１に支持され、ベース演出部材５１の後側に形成された空間内に位置する。これらの部材のうち、駆動側歯車４４は最も第一演出部材５２側に位置する。
【００３７】
図９に拡大して示すこの駆動側歯車４４の後側の歯車部４４２は、第一噛合部４４２１と第二噛合部４４２２を有する。第一噛合部４４２１と第二噛合部４４２２の前後方向における長さ（図９における上下方向の長さ）は異なる。第一噛合部４４２１の前後方向における長さは第二噛合部４４２２よりも小さい。この駆動側歯車４４の第一噛合部４４２１は後寄りに形成されている。このように駆動側歯車４４の後側の歯車部４４２は、前後方向において相対的に短い第一噛合部４４２１が形成された部分と相対的に長い第二噛合部４４２２が形成された部分とが、周方向に並び、ピッチ円直径、および歯の大きさ（モジュール）が同じ形状となっている。
【００３８】
第一演出部材５２が原位置に位置するとき、第二噛合部４４２２には第一演出部材５２と一体的に形成された歯車部である第一従動側歯車４５が噛み合っている（図１０、図１１等参照）。本実施形態では、上記モータ歯車、中継歯車４３、駆動側歯車４４、およびこの第一従動側歯車４５が、駆動源である第二モータ４１の動力を第一演出部材５２に伝達する第一伝達部を構成する。この第一従動側歯車４５は、第一演出部材５２の上端縁に沿って形成された扇状の歯車部であり、その歯車部の中心軸は上記貫通孔に通される支持軸４６１の中心軸と一致する。つまり、第二噛合部４４２２に第一従動側歯車４５が噛み合った状態で駆動側歯車４４が回転すると、第一従動側歯車４５が形成された第一演出部材５２は支持軸４６１を中心として回転する。
【００３９】
また、第一演出部材５２が原位置に位置するとき、駆動側歯車４４の第二噛合部４４２２には、第一従動側歯車４５の後側に位置する第二従動側歯車４６も噛み合う。上述したように、駆動側歯車４４の第二噛合部４４２２は前後方向に長く（厚みをもたせて）形成されている。そのため、駆動側歯車４４の第二噛合部４４２２には第一従動側歯車４５と第二従動側歯車４６という前後方向に並ぶ二つの歯車（歯車部）が噛み合うことが可能である。
【００４０】
第二従動側歯車４６は、ベース演出部材５１の軸受部５１４に支持された支持軸４６１に回転自在に支持されている。つまり、第一従動側歯車４５の回転中心軸と第二従動側歯車４６の回転中心軸は一致することになる。そして、駆動側歯車４４の第二噛合部４４２２自体は平歯車部（前後方向でピッチ円直径が変化しない歯車部）であるから、これに噛み合う第一従動側歯車４５と第二従動側歯車４６のピッチ円直径および歯の大きさ（モジュール）は同じである。
【００４１】
このように、駆動側歯車４４の第二噛合部４４２２は、第一従動側歯車４５および第二従動側歯車４６の両方が噛み合うことが可能な前後方向に長い形状である。一方、この第二噛合部４４２２よりも前後方向に短い第一噛合部４４２１は、その前後方向における位置が第一従動側歯車４５と異なる（前後方向に重なる箇所がない）ため、第一従動側歯車４５と噛み合うことはない。一方、前後方向における第一噛合部４４２１の位置は、第一従動側歯車４５の後側に位置する第二従動側歯車４６と一致する（前後方向に重なる箇所がある）ため、駆動側歯車４４の回転位置によっては、第二噛合部４４２２と第二従動側歯車４６が噛み合うことがある（図１２〜図１５等参照）。かかる点の詳細については後述する。
【００４２】
第二従動側歯車４６には平歯車である一番車４７１が、一番車４７１には平歯車である二番車４７２が、二番車４７２には平歯車である三番車４７３が噛み合っている。三番車４７３には、一方の第二演出部材（以下、後側第二演出部材５３と称することもある）に形成された歯車部５３１と、他方の第二演出部材（以下、前側第二演出部材５４と称することもある）に接続された歯車５４１が噛み合っている。これら第二従動側歯車４６、一番車４７１、二番車４７２、三番車４７３、および第二演出部材５３、５４は、第一演出部材５２の後側に支持されている。
【００４３】
後側第二演出部材５３は、上記歯車部５３１の中心を通る軸を回転中心軸として回転可能な状態で第一演出部材５２に支持されている。第一演出部材５２には、側壁（前後方向に沿う部分）が切り欠かれた第二演出部材用開口５２１が形成されており、この第二演出部材用開口５２１の近傍に後側第二演出部材５３の回転中心軸が位置する。後述するように、通常時には第一演出部材５２に覆われた状態にある後側第二演出部材５３がその状態から一方に回転すると、歯車部５３１が形成された部分以外の部分の少なくとも一部（本実施形態では先端部分）当該第二演出部材用開口５２１から外側に突出する。この突出した部分は前方から視認可能な状態となる。これに対し前側第二演出部材５４は、第一演出部材５２の前方に位置する。つまり、第一演出部材５２に形成された貫通孔を通じて上記歯車５４１と接続されている。この歯車５４１が回転すると、その回転中心軸を中心として前側第二演出部材５４が第一演出部材５２の前方で回転する。
【００４４】
本実施形態では、上記モータ歯車、中継歯車４３、駆動側歯車４４、第二従動側歯車４６、一番車４７１から三番車４７３、および後側第二演出部材５３に形成された歯車部５３１または前側第二演出部材５４に接続された歯車５４１が、駆動源である第二モータ４１の動力を第二演出部材５３、５４に伝達する第二伝達部を構成する。
【００４５】
以上の構成を備える第二駆動装置４による第一演出部材５２および第二演出部材５３、５４の動作について、第一演出部材５２および第二演出部材５３、５４が原位置に位置した状態から終端位置（第一終端位置、第二終端位置）に向かうときの動作（往動時の動作）と、第一演出部材５２および第二演出部材５３、５４が終端位置に位置した状態から原位置に向かうときの動作に分けて説明する。なお、以下の説明では、往動時に歯車等の各部材が回転する方向を全ての部材について「一方」とし、復動時に歯車等の各部材が回転する方向を全ての部材について「他方」とする。また、本実施形態では、第一演出部材５２（胴体）の原位置は、原位置ストッパ部５１２に接触した状態であって、前方から見て最も左寄りに位置した状態である。後側第二演出部材５３（一方の手）の原位置は、「手」の先端が第一演出部材５２である「胴体」に対して最も下方に位置した状態であって、第一演出部材５２に覆われ前方から見ることはできない状態である。前側第二演出部材５４（他方の手）の原位置は、第一演出部材５２である「胴体」に対して最も下方に位置した状態であって、「手」が下がった状態である。
【００４６】
往動時の動作について説明する。第一演出部材５２および第二演出部材５３、５４が図５（ａ）、図６に示す原位置に位置した状態から駆動源である第二モータ４１の出力軸を一方に回転させる（正転させる）と、第二モータ歯車、およびそれに噛み合う中継歯車４３が回転する。中継歯車４３が回転すると、それに噛み合う前側の歯車部４４１を有する駆動側歯車４４が回転する。
【００４７】
両演出部材が原位置に位置するとき、駆動側歯車４４の第二噛合部４４２２には、前後方向に並ぶ第一従動側歯車４５および第二従動側歯車４６の両方が噛み合っている（図１０、図１１参照）。したがって、駆動側歯車４４が一方に回転すると第一従動側歯車４５および第二従動側歯車４６の両方が一方に回転する。第一従動側歯車４５は第一演出部材５２に形成された歯車であるから、駆動側歯車４４の回転により第一演出部材５２が回動することになる。本実施形態では、第一演出部材５２が左から右に向かって回動する。このとき、第二噛合部４４２２には第二従動側歯車４６が噛み合っているが、第二従動側歯車４６と第一従動側歯車４５の回転中心軸、ピッチ円直径、および歯の大きさは同じであり、第二従動側歯車４６は第一演出部材５２に支持されているため、第一演出部材５２の回動により第二噛合部４４２２と第二演出部材５３、５４が噛み合う位置は変化することなくそのまま維持される。すなわち、第一従動側歯車４５と第二従動側歯車４６は相対位置を変化させることなく一緒に（同期して）回転するため、第二モータ４１の動力が第二従動側歯車４６を介して第二演出部材５３、５４に伝わることはない。
【００４８】
このように回動して第一終端位置に到達した第一演出部材５２は、ベース演出部材５１に設けられた第一終端位置ストッパ部５１３（本発明における規制部に相当する）に接触する。つまり、第一終端位置ストッパ部５１３は、原位置から第一終端位置に向けて移動し第一終端位置に到達した第一演出部材５２が、惰性等によってそれ以上同じ方向に移動してしまうことを規制する部分である。第一演出部材５２が第一終端位置に到達すると図５（ｂ）、図７に示す状態となる。
【００４９】
第二演出部材５３、５４が原位置に位置したまま第一演出部材５２が第一終端位置に到達し、そこからさらに駆動側歯車４４が一方に回転すると、第二噛合部４４２２と第一従動側歯車４５および第二従動側歯車４６の噛み合いが解消され、駆動側歯車４４の周方向において第二噛合部４４２２と連続する第一噛合部４４２１と第二従動側歯車４６が噛み合う。上述したように、第一噛合部４４２１と第一従動側歯車４５の前後方向における長さが異なるため、第一噛合部４４２１と第一従動側歯車４５は噛み合わない（図１２〜図１５参照）。そのため、第一演出部材５２が第一終端位置に到達し、そこからさらに駆動側歯車４４が一方に回転すると、第二従動側歯車４６のみが一方に回転する。
【００５０】
第二従動側歯車４６が回転すると、その動力は一番車４７１、二番車４７２、および三番車４７３を介して後側第二演出部材５３および前側第二演出部材５４に伝達される。原位置に位置していた後側第二演出部材５３および前側第二演出部材５４は、「手」の先端が上方に向かうように第二終端位置に向けて回動する。第二終端位置に到達すると、後側第二演出部材５３の先端側の一部は、第一演出部材５２に形成された第二演出部材用開口５２１より外側に突出し、遊技者に視認可能な状態（図５（ｃ）、図８に示す状態）となる。
【００５１】
以上説明したように、往動時には、第二モータ４１を正転させると、その動力はまず中継歯車４３、駆動側歯車４４、および第一従動側歯車４５を含む第一伝達部を介して第一演出部材５２に伝達される。第一演出部材５２が第一終端位置に到達し、さらに駆動側歯車４４が一方に回転すると、駆動側歯車４４の第一噛合部４４２１が第二従動側歯車４６にのみ噛み合った状態となり、上記第一伝達部による動力の伝達が解除され、第二モータ４１の動力は中継歯車４３、駆動側歯車４４、第二従動側歯車４６、一番車４７１、二番車４７２、三番車４７３を含む第二伝達部を介して第二演出部材５３、５４に伝達される。このように、本実施形態では、形状の異なる第一噛合部４４２１および第二噛合部４４２２を有する駆動側歯車４４と前後方向に並ぶ従動側歯車４５、４６とによって、第一演出部材５２が終端位置に到達したときに動力の伝達経路を切り替える連動手段が構成される。
【００５２】
復動時の動作について説明する。第一終端位置に位置する第一演出部材５２および第二終端位置に位置する第二演出部材５３、５４（図５（ｃ）、図８に示す状態にある演出部材）を原位置に向けて移動させるときには、第二モータ４１を他方に回転（逆転）させる。第二演出部材５３、５４が第二終端位置に位置するとき、駆動側歯車４４の第一噛合部４４２１と第二従動側歯車４６が噛み合っている（図１４、図１５参照）ため、第二従動側歯車４６が他方に回転する。これにより、一番車４７１、二番車４７２、および三番車４７３が他方に回転し、後側第二演出部材５３および前側第二演出部材５４が原位置に向かって回動する。
【００５３】
図５（ｂ）、図７に示すように第一演出部材５２が第一終端位置に位置したまま両第二演出部材５３、５４が原位置に到達し、そこからさらに駆動側歯車４４が他方に回転すると、駆動側歯車４４の第一噛合部４４２１と第二従動側歯車４６の噛み合いが解消され、駆動側歯車４４の周方向において第一噛合部４４２１に連続する第二噛合部４４２２に第一従動側歯車４５と第二従動側歯車４６の両方が噛み合う（図１０〜図１３参照）。第一従動側歯車４５は第一演出部材５２に形成されているから、第一演出部材５２が原位置に向かって回動しはじめる。第二従動側歯車４６と第一従動側歯車４５のピッチ円直径および歯の大きさは同じであり、第二従動側歯車４６は第一演出部材５２に支持されているため、第一従動側歯車４５と第二従動側歯車４６は一緒に回転し、第一演出部材５２は原位置に戻る。つまり、図５（ａ）、図６に示す第一演出部材５２および第二演出部材５３、５４の両方が原位置に位置した状態となる。
【００５４】
以上説明した本実施形態にかかる遊技機１によれば、次のような作用効果が奏される。
【００５５】
第一演出部材５２および第二演出部材５３、５４が原位置に位置した状態で第二モータ４１が駆動（正転）すると、駆動側歯車４４が一方に回転し、この駆動側歯車４４の第二噛合部４４２２に噛み合う第一従動側歯車４５が形成された第一演出部材５２が第一終端位置に向かって移動する。第二噛合部４４２２には第一従動側歯車４５と同じ支持軸４６１に支持された第二従動側歯車４６も噛み合っているが、第二従動側歯車４６は第一従動側歯車４５と回転中心軸、ピッチ円直径、および歯の大きさが同じであるし、第二従動側歯車４６や第二演出部材５３、５４、第二従動側歯車４６と第二演出部材５３、５４を連繋する一番車４７１、二番車４７２、三番車４７３は、第一演出部材５２に支持されているため、第一演出部材５２が移動している限りにおいて第二従動側歯車４６が第一従動側歯車４５とは別に回転すること（第一従動側歯車４５と第二従動側歯車４６の相対位置（両歯車の位相差）が変化すること）はない。つまり、第二演出部材５３、５４を原位置に位置（維持）させたまま第一演出部材５２を第一終端位置に向かって移動させることが可能である。
【００５６】
第一演出部材５２が第一終端位置に到達し、さらに駆動側歯車４４が一方に回転すると、駆動側歯車４４の第一噛合部４４２１が第二従動側歯車４６に噛み合うものの、第一従動側歯車４５には噛み合わない。したがって、第一演出部材５２が停止した状態で、第二従動側歯車４６が第一従動側歯車４５とは別に回転し、この第二従動側歯車４６に連繋された第二演出部材５３、５４が第二終端位置に向かって移動する。このように、第一演出部材５２が第一終端位置に到達した後、第二演出部材５３、５４が第二終端位置に向かって移動を開始する、という演出効果の高い「段階的な動作」を単一の駆動源で実現することが可能である。
【００５７】
また、上記一連の動作において、第一演出部材５２が第一終端位置に到達したときには、第一演出部材５２はベース演出部材５１に設けられた第一終端位置ストッパ部５１３に接触する。つまり、第一演出部材５２を第一終端位置で確実に停止させることができるため、第一演出部材５２が移動を停止することに続いて第二演出部材５３、５４が移動を開始するという動作（出力）の切り替わりをスムーズなものとすることが可能である。
【００５８】
以上、本発明の実施の形態について詳細に説明したが、本発明は上記実施の形態に何ら限定されるものではなく、本発明の要旨を逸脱しない範囲で例えば以下のような種々の改変が可能である。
【００５９】
上記実施形態にかかる遊技機１には、演出体５全体を移動させる第一駆動装置３が設けられていることを説明したが、この第一駆動装置３の構成は上述した構成に限られるものではない。また、このように演出体５全体を移動させるための駆動装置が設けられない構成であっても本発明の技術思想は適用可能である。
【００６０】
上記実施形態にかかる遊技機１では、ベース演出部材５１が演出体５の一部を構成することを説明したが、駆動源である第二モータ４１や駆動側歯車４４を支持するベース部材を演出体５とは別に設けた構成とすることも可能である。
【００６１】
上記実施形態にかかる遊技機１では、第一終端位置に到達した第一演出部材５２の移動を停止させるための第一終端位置ストッパ部５１３がベース演出部材５１に設けられていることを説明したが、第一演出部材５２に設けてもよい。つまり、原位置においては他の部材に接触しないが、第一終端位置に到達したときに他の部材に接触する部分を第一演出部材５２に設けてもよい。また、ベース演出部材５１と第一演出部材５２の両方に設けてもよい。
【００６２】
上記実施形態にかかる遊技機１では、演出体５が一つの第一演出部材５２と二つの第二演出部材５３、５４を有することを説明したが、演出部材の形状や数は適宜変更可能である。
【符号の説明】
【００６３】
１  遊技機
４  第二駆動装置（駆動装置）
４１  第二モータ（駆動源）
４４  駆動側歯車
４４２１  第一噛合部
４４２２  第二噛合部
４５  第一従動側歯車
４６  第二従動側歯車
４６１  支持軸
５  演出体
５１  ベース演出部材（ベース部材）
５１１  開口
５１２  原位置ストッパ部
５１３  第一終端位置ストッパ部
５２  第一演出部材
５３  後側第二演出部材
５４  前側第二演出部材
５４１  接続された歯車
【要約】
【課題】駆動源を増加させることなく演出部材による演出効果を向上させることが可能な遊技機の提供。
【解決手段】第一演出部材５２および第二演出部材５３、５４が原位置に位置する状態から駆動源４１を駆動させると、第一伝達部を介して駆動源４１の動力を第一演出部材５２に伝達させて第一演出部材５２を第一終端位置に向けて移動させ、第一演出部材５２が第一終端位置に到達した際に第一伝達部による動力の伝達が解除され、第一演出部材５２が第一終端位置に位置した状態で、第二伝達部を介して駆動源４１の動力を第二演出部材５３、５４に伝達させて第二演出部材５３、５４を第二終端位置に向けて移動させる。
【選択図】図４【図１】
0005385443.tif 000002
【図２】
0005385443.tif 000003
【図３】
0005385443.tif 000004
【図４】
0005385443.tif 000005
【図５】
0005385443.tif 000006
【図６】
0005385443.tif 000007
【図７】
0005385443.tif 000008
【図８】
0005385443.tif 000009
【図９】
0005385443.tif 000010
【図１０】
0005385443.tif 000011
【図１１】
0005385443.tif 000012
【図１２】
0005385443.tif 000013
【図１３】
0005385443.tif 000014
【図１４】
0005385443.tif 000015
【図１５】
0005385443.tif 000016